(57)【特許請求の範囲】
【請求項１】
垂直方向の上下に配列した第１の収納部と第２の収納部とを、それらの間の回転支点まわりに同期回動させて、第１の収納部を第２の収納部の元の配列位置に移動させるのと同時に第２の収納部を第１の収納部の元の配列位置に移動させて、第１の収納部及び第２の収納部の配列位置を入れ換えられるように支持するとともに、収納部にコンセントを設け、前記支持をした固定部側から収納部のコンセントに、収納部の移動の吸収部を有して給電を行う給電手段を備えたことを特徴とする昇降収納装置。
【請求項２】
移動の吸収部は、カールコードである請求項１に記載の昇降収納装置。
【請求項３】
移動の吸収部は、固定部側および収納部側の一方に設けられた自動巻取り機能を有するコードリールである請求項１に記載の昇降収納装置。
【請求項４】
移動の吸収部は、固定部側および収納部側の、収納部の昇降によって離接する部分に設けられ、この離接によって断接されるコネクタである請求項１に記載の昇降収納装置。
【請求項５】
第１、第２の収納部は、一方が垂直および水平の移動成分を持って移動するのに連動して、他方が垂直方向にだけ移動することにより、上下が入れ換えられるように支持され、垂直方向にだけ移動する収納部にコンセントが設けられている請求項１〜４のいずれか一項に記載の昇降収納装置。
【発明の詳細な説明】
【０００１】
【発明の属する技術分野】
本発明は、上下に配列した２つの収納部を必要に応じてその上下位置をそれぞれの昇降により入れ換えられる昇降収納装置に関するものである。
【０００２】
【従来の技術】
吊り戸棚は元来、デッドスペースとなり勝ちな高所空間を有効利用するのに利用されてきた。しかし、収納部が高所であるため、踏み台等を用いないと物を自由に出し入れできない。近時では、吊り戸棚などの高所に設置される収納部を昇降できるように支持し、物の出し入れは下部位置で行い、収納は上部位置で行う昇降収納装置が提案され、実用されている。
【０００３】
【発明が解決しようとする課題】
本出願人は、上記のような昇降収納装置に関連して、上下に配列した第１の収納部と第２の収納部とを、第１の収納部を第２の収納部の元の配列位置に移動させるのに併せ、第２の収納部を第１の収納部の元の配列位置に移動させることにより、第１の収納部および第２の収納部の配列位置を上下入れ換えられるように支持した上下入れ換え収納装置を先に提案している。
【０００４】
上下に配列した第１、第２の各収納部は、互いに上下入れ換えられるので、上下入れ換え収納装置を天井下に設置した場合、そのどちらも下部位置に移動させて物を出し入れしやすくできるし、床上に設置した場合、そのどちらも上部位置に移動させて物を出し入れしやすくできる。また、第１、第２の収納部は上下のどちらの位置にあっても収納状態を保ちデッドスペースとならないので、空間の利用効率は低下しない。
【０００５】
ところで、このような上下入れ換え収納装置は、床上や天井に設置したり、あるいは上下に複数設置したりするのに、電気機器を収納しておき、使用しやすい位置に移動して利用できれば便利である。一方、第１、第２の各収納部は上下入れ替わるように支持されていて、これに収納した電気機器に給電することは俄に実現できない。
【０００６】
本発明の目的は、上下入れ換え収納機能を生かしながら、収納した電気機器に給電して使用できる昇降収納装置を提供することにある。
【０００７】
【課題を解決するための手段】
上記のような目的を達成するために、本発明の昇降収納装置は、垂直方向の上下に配列した第１の収納部と第２の収納部とを、それらの間の回転支点まわりに同期回動させて、第１の収納部を第２の収納部の元の配列位置に移動させるのと同時に第２の収納部を第１の収納部の元の配列位置に移動させて、第１の収納部及び第２の収納部の配列位置を入れ換えられるように支持するとともに、収納部にコンセントを設け、前記支持をした固定部側から収納部のコンセントに、収納部の移動の吸収部を有して給電を行う給電手段を備えたことを１つの特徴としている。
【０００８】
このような構成では、２つの収納部を垂直方向の上下に配列して、物を区分け収納できるようにするとともに、それらの間の回転支点まわりに同期回動させて、第１の収納部を第２の収納部の元の配列位置に移動させるのと同時に第２の収納部を第１の収納部の元の配列位置に移動させることにより、それらが設置される高さに応じて物を出し入れしやすい上下いずれかの側に移動させて使用しやすくしながら、収納部のそのような移動を、カールコード、コードリール、および収納部を支持する固定部側と収納部との収納部の昇降に伴う離接によって断接されるコネクタ等の収納部の移動を吸収する吸収部を有して収納部が移動される影響をなくした給電手段によって、移動する収納部に設けられたコンセントに給電し、収納部で電気機器が使えるようにするので便利である。
【０００９】
第１、第２の収納部の、一方が垂直および水平の移動成分を持って移動するのに連動して、他方が垂直方向にだけ移動することにより、上下が入れ換えられるように支持され、垂直方向にだけ移動する収納部にコンセントが設けられているものであると、電気機器を使用する収納部の動きが単純かつ重力方向で、電気機器が不用意に転倒したり脱落したりしにくいので使用の安全が図れるし、固定部との離接の動きも直線的で、離接により断接する簡易なコネクタを給電手段の移動の吸収部とするのに好適であり、離れている間、つまり収納部が移動中は給電を断つことになるので、移動中の給電により不用意に問題が生じるようなことが回避できる。しかも、垂直の移動成分と水平の移動成分とが個別に達成される支持構造にすると、双方の収納部について同様な特徴を発揮することができる。また、前記支持を、上下に配列した第１、第２の各収納部と、各収納部を所定の支持支点で支持して第１の収納部と第２の収納部とを連結し、各支持支点の間に設定した回転支点で回転する支持部材と、前記回転支点をその軸線と直角な物の出し入れ方向に移動できるように支持する摺動支持部と、一方の収納部を垂直方向に移動するように案内する案内手段とを備えて、第１、第２の収納部を支持することにより実現すると、垂直および水平の移動成分を持って移動する収納部が格納位置から離接するときの動きをほぼ直線的にできるので、この収納部についても離接により断接するコネクタを給電手段の移動の吸収部とするのに好適である。
【００１２】
これらの各特徴は、可能な限りそれぞれ各種に複合して有効であるし、本発明のそれ以上の目的および特徴は、以下の詳細な説明および図面の記載によって明らかになる。
【００１３】
【発明の実施の形態】
以下、添付図面を参照して本発明の幾つかの実施の形態についてその参考例とともに説明し、本発明の理解に供する。
【００１４】
（実施の形態１）
本実施の形態１は図８に示すように、垂直方向の上下に配列した第１の収納部６１と第２の収納部６２とを、第１の収納部６１を第２の収納部６２の元の配列位置に移動させるのに併せ、第２の収納部６２を第１の収納部６１の元の配列位置に移動させることにより、第１の収納部６１および第２の収納部６２の配列位置を上下入れ換えられるように昇降機構６６により支持した上下入れ換え収納部１０１を備え、第１、第２の各収納部６１、６２の少なくとも一方、図１、図２に示す実施例では双方にコンセント１１１を設け、前記支持をした固定部側、図１、図２に示す実施例では上下入れ換え収納部１０１を収容したキャビネット６３側から第１、第２の各収納部６１、６２のコンセント１１１に、収納部６１、６２の移動の吸収部１１２を有して給電を行う給電手段１１３を設けてある。
【００１５】
給電手段１１３の移動の吸収部１１２は、例えば、第１、第２の各収納部６１、６２が昇降して上下入れ換えられるときの移動によるキャビネット６３と第１、第２の各収納部６１、６２との間の相対移動により、コネクタのように離接したり、カールコードや巻取りリールによる伸縮する給電部材や器具を、前記相対移動の状態や他との干渉状態などに応じ選択して設置し、各収納部６１、６２の上下入れ換えの際のキャビネット６３との間の相対移動を、前記離接や伸縮などで吸収してその影響を防止しながら少なくとも収納部６１、６２が収納位置にあるときコンセント１１１に給電できるようにする。
【００１６】
このような上下入れ換え収納部１０１では、２つの収納部６１、６２を上下に配列して、物を区分け収納できるようにするとともに、それらが設置される高さに応じて物を出し入れしやすい上下いずれかの側に移動させて使用しやすくしながら、収納部６１、６２のそのような移動を吸収部１１２により吸収して移動の影響なく給電手段１１３がコンセント１１１を介し、それにプラグ１１４により接続された各種の電気機器１１５に給電できるようにするので、収納部６１、６２にて、オーブントースター、コーヒーメーカー、ジューサーミキサー、電気ウォーマーなど各種の電気機器１１５が使えるようになり便利である。使用に時間が掛かりしかも大きく邪魔になりやすい食器乾燥機などを収納状態で使用すると特に便利である。
【００１７】
次に、本実施の形態１が採用している昇降機構６６につき説明する。図３、図４に示すように、昇降機構６６は、第１の収納部６１の支持支点Ｐ1 と第２の収納部６２の支持支点Ｐ2 との間を連結する支持部材６４と、キャビネット６３に取り付けられて前記支持部材６４の回転支点Ｏを水平方向に移動自在に支持する摺動支持部６５と、第１の収納部６１を回動角度にかかわらず一定の水平姿勢に維持する第１の姿勢維持部７１と、第２の収納部６２を回動角度にかかわらず一定の水平姿勢に維持する第２の姿勢維持部７２と、第１、第２収納部６１、６２の昇降時の移動経路を規制する図３、図５に示すようなガイド６８とを備え、ガイド６８は第１、第２収納部６１、６２の一方、例えば第２の収納部６２の背部の上下に設けられたガイドローラ７６を受け入れて、前後の移動を阻止し、垂直方向にだけ動くように案内するようにている。
【００１８】
以上の昇降機構６６は、図２に示すように、左右対称位置に昇降機構６６L 、６６R として配備され、各支持部材６４、６４の各回転支点Ｏ間は連結軸６７で連結され、左右の昇降機構６６L 、６６R が同期して動作するように構成されている。これにより、第１、第２の各収納部６１、６２は左右が一体に支持されてている。収納物による荷重が左右でアンバランスな場合でも傾くようなことがないし、左右の動きに差が生じるようなことが解消される。しかし、これに限られることはなく原理的には左右の一方分だけあってもよく、その機構の設け方は自由である。
【００１９】
図４に示す昇降機構６６L を例にしてさらに説明すると、支持部材６４は、その回転支点Ｏに対応する中間部で連結軸６７によりキャビネット６３の側板内面に回動自在に支持され、各収納部６１、６２の各支持支点Ｐ1 、Ｐ2 に対応する両端部に固定された軸１１１ａ、１１１ｂにより各収納部６１、６２をその側板のほぼ中央部で回動自在に支持している。また、前記連結軸６７の両端部は、その上下に配したローラ６５ａ、６５ｂを摺動支持部６５の上下にコの字状の断面形状に形成された凹部に嵌入させ、摺動支持部６５内を水平方向に円滑に移動できるようにされている。支持部材６４には連結軸６７を介してあるいは直接に固定輪７４ａ、７４ｂが回転支点Ｏと同心に固定され、これらと、各収納部６１、６２にその支持支点Ｐ1 、Ｐ2 と同心に固定されるとともに、軸１１１ａ、１１１ｂに対し回動できるようにした回動輪７３ａ、７３ｂとの間にそれぞれベルト７５ａ、７５ｂが掛け渡されて、それぞれ第１の姿勢維持部７１、第２の姿勢維持部７２を構成している。
【００２０】
回転支点Ｏは各支持支点Ｐ1 、Ｐ2 の間の中間位置に設けることが望ましく、キャビネット６３内に収容する各収納部６１、６２の容積を最も大きく構成することができる。また、キャビネット６３内に無駄な空間を設けることなく収容して回動させるために、第１の収納部６１の後側上角および下角、第２の収納部６２の前側上角および下角は、図示するように切り欠いて回動時に各収納部６１、６２の角部が干渉しないようにしている。もっとも、各収納部６１、６２の上下入れ換えの昇降経路の設計によってはこのようにする必要はなく、図示は省略するが、切り欠きを省略することにより既述した各収納部６１、６２の完全な共通化が図れる。また、各収納部６１、６２それぞれの前部の上下角、および後部の上下角の全部に切り欠きを設けて上記のような干渉防止機能を発揮しながら、第１、第２各収納部６１、６２それぞれの完全な共通化を図ることもできる。
【００２１】
本実施の形態１の昇降機構６６による各収納部６１、６２の昇降動作について、上部の上下入れ換え収納部１０１を例に図８の（ａ）〜（ｇ）に基づき説明する。
【００２２】
図８の（ａ）に示すようにキャビネット６３に収納された第１の収納部６１と第２の収納部６２との上下位置を入れ換えるときには、ガイドローラ７６を持たない第１の収納部６１を手前に引き出しつつ他方である第２の収納部６２の側、図では下向きに回動させると、第１の収納部６１は支持支点Ｐ1 で支持部材６４を回転支点Ｏを中心として回動されるので、第２の収納部６２も支持支点Ｐ2 で後方に回動しようとするが、支持部材６４の第２の収納部６２側はガイドローラ７６をガイド６８に押しつけて受け止められることにより垂直方向の案内を受けるので、支持部材６４が回動する動作で支持部材６４の回転支点Ｏを摺動支持部６５内で水平方向に移動させ、図８（ｂ）〜（ｄ）に示すように、第２の収納部６２は第１の収納部６１の回動に伴って垂直方向に上昇する。このときの支持部材６４が水平移動される最大点は図８の（ｄ）に示す第１の収納部６１と第２の収納部６２とが水平方向に並び、支持部材６４が水平になった状態のときであり、この位置は設計によって種々に設定できる。回転支点Ｏがキャビネット６３から飛び出すような設計例では摺動支持部６２に回転支点Ｏの水平移動に従って伸縮する図６に示すようなガイドレール９２を用いるなどして対応すると特に問題とはならない。図６に示すガイドレール９２は１本の固定レール９２ａとこれに摺動伸縮できるように組み合わされた１本の可動レール９２ｂとで構成されたものであるが、可動レール９２ｂの組み合わせ数は必要な伸縮長さに応じて種々に設計できる。可動レール９２ｂは例えば、図６に示すように、所定以上の長さと、前後の端部に回転支点Ｏとの外れ止めのためのストッパ９２ｃ、９２ｄとを持てば、固定レール９２ａおよび回転支点Ｏの双方との外れ止めが達成される。
【００２３】
図８の（ｄ）に示す状態からさらに第１の収納部６１を回動させると、支持部材６４の作用方向が、ガイドローラ７６をガイド６８から引き離すように変わるので、回転支点Ｏは元の位置に戻る方向に移動し、図８の（ｅ）〜（ｆ）に示すように、第１の収納部６１は回動しつつキャビネット６３内の下方に進入して行くのに連動して、第２の収納部６２は垂直方向にさらに上昇し、図８の（ｇ）に示すように第１の収納部６１が、第２の収納部６１が元配列されていた下方位置に入ったとき、第２の収納部６２は第１の収納部６１が元配列されていた上方位置に上昇して、第１の収納部６１と第２の収納部６２との配列位置が上下入れ換わる。
【００２４】
図８の（ｇ）に示す状態から第１の収納部６１を引出し、上記操作と逆方向に回動させると、第２の収納部６２は垂直方向に下降し、図８の（ｆ）〜（ａ）の逆動作でそれぞれ元の配列位置に復帰させることができる。
【００２５】
このような各収納部６１、６２の上下入れ換え動作において、各収納部６１、６２は支持部材６４によって各支持支点Ｐ1 、Ｐ2 の１軸で回動自在に支持されているので、回動角度によって水平姿勢が傾く恐れがあるが、各支持支点Ｐ1 、Ｐ2 と回転支点Ｏとの間には、それぞれ各姿勢維持部７１、７２が設けられているので、回動角度にかかわらず常に一定の水平姿勢が維持される。具体的には、図８の（ａ）から図８（ｇ）に示す順序で、あるいは逆の順序で支持部材６４が連結軸６７を回動軸として回動したとき、支持部材６４による各収納部６１、６２の各支持支点Ｐ1 、Ｐ2 まわりの支持角度が変化するのに併せ、各回動輪７３ａ、７３ｂと各固定輪７４ａ、７４ｂとの間を連結しているベルト７５ａ、７５ｂが、固定輪７４ａ、７４ｂとの間の摩擦により回動輪７３ａ、７３ｂを各支持支点Ｐ1 、Ｐ2 のまわりに、前記支持角度が変化する方向とは逆の方向に同じ角度だけ回転させる働きを営み、結果として各収納部６１、６２は各支持支点Ｐ1 、Ｐ2 のまわりで水平姿勢に保たれて傾くことはなく、水平姿勢が維持された状態で回動および昇降する。この水平姿勢維持は第１、第２の各収納部６１、６２が各支持支点Ｐ1 、Ｐ2 まわりにアンバランスな収納物の荷重により傾こうとするのに対しても強制力を発揮し、傾きを防止する。それには、各回動輪７３ａ、７３ｂおよび各固定輪７４ａ、７４ｂとベルト７５ａ、７５ｂとの間の滑りを防止することが必要であり、タイミングベルトを用いるのが好適である。場合によってはチエンで代替してもよいし、原理的にはベルト連結構造に代えて遊星歯車を用いた連結機構などを採用してよい。
【００２６】
ここで、第１の収納部６１は垂直移動成分および水平移動成分を持って移動するのに対し、第２の収納部６２は垂直方向にだけ移動するものであり、上記昇降機構６６によって互いに連動して昇降し、配列位置が上下に入れ換えられるのに、垂直移動成分および水平移動成分を持って移動する第１の収納部６１の側を移動させれば２方向の移動成分による大きく無理のない動きで軽快に昇降ささられる。従って、図１〜図３、図８に示す実施例のように、昇降操作するための把手８０を設けた操作側を第１の収納部６２とするのが好適であり、把手８０が第１の収納部６２に設けられることによってそのような操作が行われるように使用者を誘導し、かつ、そのような操作が戸惑いなく確実に行われることを保証することができる。
【００２７】
特に、図１〜図３に示す実施例での第１、第２の各収納部６１、６２の上記のような上下入れ換え動作状態では、第１の収納部６１は収納位置の近傍でキャビネット６３の背部壁６３ｃとほぼ垂直な方向で対向し合ってほぼ直線的に離接し、第２の収納部６２はキャビネット６３の上部壁６３ｄや下部壁６３ｅと垂直な方向で対向し合って直線的に離接する。このような相対移動状態に応じて、給電手段１１３の移動の吸収部１１２として離接するコネクタ１１２ａ、１１２ｂを用い、図１に実線で示す位置や仮想線で示す位置に設けている。コネクタ１１２ａ、１１２ｂは各種のものが市販されており、そのどれを使用してもよいが、ラフな嵌まり合い構造で接続が確実な図７に示すようなマグネットコネクタを用いると、接続不良や接続の失敗を招きにくく好適である。しかし、直線的に離接する部分間では他の構造のコネクタ１１２ａ、１１２ｂでも問題はない。
【００２８】
しかも、コネクタ１１２ａ、１１２ｂを介した給電は、それらが離れている間、つまり収納部６１、６２の移動中は給電を断つスイッチング手段として働くことになるので、移動中の給電により不用意に問題が生じるようなことが回避できる。
【００２９】
上下入れ換わり収納部１０１は各種のキャビネット６３に収容して、図９、図１０に示す実施例のように床１０２の上に設置されたり、図示しないが天井下に設けられたり、あるいは図１１に示す実施例のように上下に２組、あるいはそれ以上配列されたりすることができる。
【００３０】
特に、図９、図１０に示す実施例では、本実施の形態１の第１、第２の収納部６１、６２の、一方が垂直および水平の移動成分を持って移動するのに連動して、他方が垂直方向にだけ移動して、上下が入れ換えられるものであるのに対応して、垂直方向にだけ移動する収納部、本実施の形態１では第２の収納部６２にコンセント１１１を設けてある。このようにすると、電気機器１１５を使用する側となる第２の収納部６２の動きが単純かつ重力方向で、電気機器１１５が不用意に転倒したり脱落したりしにくいので使用の安全が図れるし、前記したように、キャビネット６３との離接の動きも直線的で、離接により断接する簡易なコネクタ１１２ａ、１１２ｂを給電手段１１３の移動の吸収部１１２とするのに好適である。
【００３１】
また、図９、図１０の実施例では、上下入れ換え収納部１０１が低く設置されて、第１、第２の収納部６１、６２の上部に移動したときに物を出し入れし易いし、電気機器１１５が使用し易くなるのに対応して、キャビネット６３の上部の収納部に対応する範囲を開放部１２１とし、下部の収納部に対応する範囲に扉１２２を設けてある。
【００３２】
このように、物を出し入れしやすい高さ範囲を扉のない開放部１２１として、この高さ範囲で物の出し入れや電気機器１１５が使用が行われるよう使用者を誘導し、また、この高さ範囲を使用頻度の高い物を収納するホームポジションにしておいたり、電気機器１１５の収納部にとして使用に便利である。また、使用頻度の低い収納部となる下部の高さ範囲は扉１２２で常時覆うことによって、収納部の全体が露出して外観が見苦しくなるようなことを回避することができ、雑然とした収納状態となる小物の収納部などに利用しても有効である。
【００３３】
さらに、図９、図１０の実施例では、コンセント１１１を設けた側の収納部、具体例としては第２の収納部６２に、これが開放部１２１に移動して扉１２２から外れた経路で、図１０に実線と仮想線で示すように出し入れされる引き出し棚１２３を設けてある。従って、この引き出し棚１２３を有する収納部６２を常時開放部１２１に対応させておき、使用の都度引き出し棚１２３を引き出すようにすれば、物がすぐに使用しやすくなるし、それが電気機器１１５であれば使用時のまわりへの安全が図れる。また、使用後は引き出し棚１２３を格納することにより物も同時に簡単に収容できるので、使用頻度の高い電気機器１１５などの収納に好適である。このような特徴は、キャビネット６３の下部を開放部とし、上部に扉を設けた場合に適用しても同様の作用効果を発揮する。また、キャビネット６３が天井下に設置されるような場合は、下部が物の出し入れや電気機器の使用に便利になるので、下部を開放部とし上部に扉を設けるのが最適である。引き出し棚１２３は伸縮式のものでもよいし、図９、図１０に示す実施例のようにガイド１２４によって左右を案内されて出し入れされる単独の板部材で構成することもできる。しかし、電気機器１１５が万一にも後方へ脱落するようなことを考えると、引き出し棚１２３の下に固定棚１２５を設けておくのが好適である。
【００３４】
さらに、引き出し棚１２３が格納されたときコンセント１１１への給電を断ち、格納位置から引き出されたときコンセント１１１への給電を接続するために、例えば図１０に示すように、キャビネット６３の後部壁６３ｂに引き出し棚１２３の後部と対向するマイクロスイッチや近接スイッチ、フォトカプラ、上記コネクタ１１２ａ、１１２ｂなどのスイッチング手段１２６が設けられ、引き出し棚１２３が格納された状態では給電を断つようにしている。これにより、引き出し棚１２３を引き出したときだけ電気機器１１５が使用できるようになり、格納位置では電気機器１１５は使用できなくなるので、電気機器１１５の使用によるまわりへの安全がより確実に図れる。
【００３５】
なお、第２の収納部６２とキャビネット６３の天井壁６３ｅとの間に、双方の離接によって断接するコネクタ１１２ａ、１１２ｂを設け、第２の収納部６２が開放部１２１に対応する位置にあるときにコンセント１１１に給電するスイッチング手段とすることができ、コンセント１１１は収納部６２が開放部１２１に対応した特定のときだけ給電を受けて電気機器１１５が使用できるようになり、どのような状態でも給電されるような場合に比し使用の安全性が高いし、電気機器１１５を使用しないときは扉１２１に対応する位置に収納部６２を移動させておくことにより、電気機器１１５が子供や幼児などが勝手に触れたり使用したりするのを回避しやすい利点がある。
【００３６】
この場合のスイッチング手段も、前記スイッチング手段１２６と同様なものを採用することができるし、双方のスッチング手段を併用したり、いずれか一方だけを設けるようにすることもできる。
【００３７】
また、給電手段１１３の移動の吸収部１１２としては、キャビネット６３と収納部６２との間に設けたカールコード１１２ｃとしてあり、それらの間の相対移動に応じて伸縮して常時緊張状態を保つ。従って、配線経路を適宜設定することにより他の物と不用意に引っ掛かったり干渉したりしないので有利である。また、収納部６２の移動中も給電し続けられるので、使用に時間が掛かる食器乾燥機などを使用するのに、使用途中でも他の収納部６１を出し入れしやすい位置に移動して物を出し入れするような場合でも使用状態を継続することができる。
【００３８】
図１１に示す実施例では、上下の各上下入れ換え収納部１０１の直線的に昇降する第２の収納部６２にコンセント１１１を設けて電気機器１１５が使用できるようにしてあり、コンセント１１１に給電する給電手段１１３の移動の吸収部１１２として、電源コード１３１を自動的に巻き取るコードリール１１２ｄを用いている。このようにすると、収納部６２が昇降するときのキャビネット６３との相対移動の状態に応じて電源コード１３１がコードリール１１２ｂによって巻き取られたり繰り出されたりし、収納部６２の移動を吸収しながら給電することができる。しかも、電源コード１３１は弛まないので、図１０の実施例の場合と同様な作用効果を発揮する。
【００３９】
（実施の形態２）
本実施の形態２は図１２に示すように、第１、第２収納部６１、６２を昇降できるように支持する支持部材６４と、キャビネット６３との間をリンク１５１により連結して、第１、第２収納部６１、６２の昇降時の移動経路を規制するようにしてあり、支持部材６４が第１の収納部６１を回動させるときの、支持部材６４の図１２の（ａ）〜（ｄ）に示す間の角度変化での、キャビネット６３との間のリンク１５１の突っ張り作用と、図１２の（ｄ）〜（ｇ）に示す間の角度変化での、キャビネット６３との間のリンク１５１の引っ張り作用とによって、第１、第２収納部６１、６２が図１２の（ａ）〜（ｇ）に示すように、実施の形態１の場合と同じ昇降状態で互いの上下が入れ換えられる。他の構成および奏する作用効果は実施の形態１の場合と特に変わるところはないので、同じ部材には同じ符合を付し、重複する図示および説明は省略する。
【００４０】
本発明は、第１、第２収納部６１、６２がどのような経路および動きで上下が入れ換えられる場合にも適用でき、以下に代表的な他の実施の形態についてさらに説明する。
【００４１】
（実施の形態３）
本実施の形態３は図１３に示すように、キャビネット６３の背部壁面６３ｂを第１、第２収納部６１、６２の昇降経路規制手段として利用し、実施の形態１のガイド６８を省略した構成を示すもので、第１の収納部６１の背部にコロ７６が取り付けられ、第２の収納部６２を、支持部材６４の回転支点Ｏの摺動支持部６５上での水平移動と、回転支点Ｏまわりの回動とを伴う支持に従って、図８の（ａ）〜（ｇ）の順に、あるいはその逆に回動させるとき、第１の収納部６１がキャビネット６３の背部壁面６３ｂに絶えず押しつけられる働きで、コロ７６が前記壁面６３ｂを走行しながら摩擦抵抗なしに垂直方向に昇降され、第１、第２の収納部６１、６２の上下が入れ換えられる。もっともコロ７６は第２の収納部６２の壁面に沿った昇降の摩擦を軽減するもので必須ではない。
【００４２】
他の構成および奏する作用効果は実施の形態１の場合と特に変わるところはないので、共通する部材には同一の符合を付し、重複する図示および説明は省略する。
【００４３】
さらに、上記各実施の形態１〜３において、各構成における連結軸６７等にロータリーダンパ等の釣り合い手段を連結することにより、各収納部６１、６２に収納した物の重量差により昇降操作が困難になる状態は、重量の大きい側が下降方向になったときの急激な下降を抑制し、安定した昇降動作を行わせることができる。また、連結軸６７にモータを連結して昇降動作の補助動力とする他、電動により昇降動作を行わせることもできる。
【００４４】
（参考例）
本参考例は図１４、図１５に示すように、第１の収納部６１は、その相対向する両面で一対の水平支持部材４４によって支持され、この水平支持部材４４はキャビネット６３の相対向する両内側面に上下方向に固定された昇降ガイド４５に昇降移動自在に支持されている。一方、第２の収納部６２は、その背面に摺動板４６が取り付けられており、この摺動板４６はキャビネット６３の背部内面に上下方向に固定されたスライドレール４７に昇降移動自在に支持されている。また、前記水平支持部材４４と第２の収納部６２の相対向する両面の上端部とは昇降ワイヤ４８によって連結され、この昇降ワイヤ４８はキャビネット４３の天面に取り付けられた第１の滑車４９及び第２の滑車５０に掛け渡して双方を吊り下げるように支持している。
【００４５】
この昇降機構６６は、図１５に示すように、左右一対に設けられ、左右位置の前記第１の滑車４９、４９は連結軸６７により連結されて同期回転するので、左右一対の昇降機構は同期して昇降動作する。この連結軸６７は、キャビネット６３の第１の収納部６１が引き出される方向の反対側の上方隅角部に配設するようにすると、第１の収納部６１および第２の収納部６２をキャビネット６３内の空間いっぱいに格納されるように構成しても、各収納部６１、６２の後方上角部を切り欠くだけで無駄な空間が形成されることがない。
【００４６】
第１の収納部６１を支持する水平支持部材４４は、ガイド昇降ガイド４５に支持された図１６に示したような昇降部４４ａ内に２本の第１の伸縮アーム４４ｂ、第２の伸縮アーム４４ｃが収容されており、第２の伸縮アーム４４ｃが第１の収納部４１の側面に固定されているので、第１の収納部４１に水平方向に引き出す力を加えると、第１の伸縮アーム４４ｂが昇降部４４ａから、第２の伸縮アーム４４ｃが第１の伸縮アーム４４ｂから引き出されて、第１の収納部４１は図１４の（ａ）に示す状態から（ｂ）に示すように、キャビネット４３の外に引き出される。この操作により第１の収納部６１と第２の収納部６２との昇降経路が前後に別れるので、双方を同時に昇降させ得る状態となる。
【００４７】
図１４の（ｂ）に示す状態から第１の収納部６１を下降させる方向に引き下ろすと、水平支持部材４４は昇降ガイド４５上を摺動して下降する。水平支持部材４４には昇降ワイヤ４８が接続されているので、第１の収納部６１の下降動作に伴って昇降ワイヤ４８が第２の滑車５０、第１の滑車４９を介して第２の収納部６２を引き上げる。第２の収納部６２は昇降ワイヤ４８による引き上げ力が加えられると、摺動板４６がスライドレール４７上を摺動されて上昇する。つまり、第１の収納部６１と第２の収納部６２とは互いに逆方向に昇降することになる。
【００４８】
水平支持部材４４が昇降ガイド４５の最下部に達する位置まで第１の収納部６１を下降させたときには、図１４の（ｃ）に示すように、摺動板４６もスライドレール４７の最上部に達して第２の収納部６２は上部位置に上昇する。次いで、下降させた第１の収納部６１をキャビネット６３内に押し入れるようにすると、水平支持部材４４は第１、第２の伸縮アーム４４ｂ、４４ｃが昇降部４４ａに入って収縮するので、図１４の（ｄ）に示すように、第１の収納部６１は水平移動して下方配列位置に移動する。
【００４９】
上記操作手順により第１の収納部６１と第２の収納部６２との配列位置は入れ換えられる。この操作手順の逆動作を行えば、配列位置は図１４の（ａ）に示す状態に戻すことができる。
【００５０】
このような昇降動作は、第１の収納部６１を下降または上昇させる操作によって第２の収納部６２を上昇または下降させ、第１の収納部６１と第２の収納部６２との釣り合いによってなされるので、第１の収納部６１を下降させるときには第２の収納部６２を上昇させる負荷が与えられるため、重量を伴った急激な下降が抑えられ、一方、上昇させるときには第２の収納部６２が下降する重量が加わるので楽に上昇させることができる。しかしながら、第１の収納部６１と第２の収納部６２とのそれぞれに収納した物の重量に大きな差が生じたときには、相互の重量バランスが崩れるため下降または上昇が円滑になされない場合が生じる。
【００５１】
このような場合に備えて、両側の昇降機構に共通する連結軸６７にロータリーダンパ等の緩衝機能を付加することが有効な手段となる。
【００５２】
本参考例の昇降機構６６では、第２の収納部６２の側の昇降動作が第１の収納部６１の側に伝達できないので、第１の収納部６１が操作側になるのが必須であり、この第１の収納部６１に把手８０を設けてある。
【００５３】
本参考例では第１、第２の各収納部６１、６２の双方ともキャビネット６３に対して垂直でかつ直線的に離接するものであり、そのどちらにコンセント１１１を設けても、給電手段１１３の移動の吸収部１１２としてコネクタ１１２ａ、１１２ｂを用いるのに好都合である。
【００５４】
なお、上記各実施の形態、参考例ではいずれも、上下入れ換え収納部１０１をキャビネット６３に収納して設置した場合のみ示したが、これに限られることはなく、壁面に形成した凹部内や、相対向する壁面間、あるいは壁面とこれに対向して設置した支持板との間など、種々な構造で設置する場合にも本発明は同様に適用され、この場合、壁面や支持板も本発明で言う固定部側になる。また、上記した各実施の形態、参考例における種々な実施例構造は、可能な限り相互を種々な組み合わせで複合して採用することができる。
【００５５】
【発明の効果】
本発明の昇降収納装置によれば、２つの収納部を垂直方向の上下に配列して、物を区分け収納できるようにするとともに、それらの間の回転支点まわりに同期回動させて、第１の収納部を第２の収納部の元の配列位置に移動させるのと同時に第２の収納部を第１の収納部の元の配列位置に移動させることにより、それらが設置される高さに応じて物を出し入れしやすい上下いずれかの側に移動させて使用しやすくしながら、収納部のそのような移動を、カールコード、コードリール、および収納部を支持する固定部側と収納部との収納部の昇降に伴う離接によって断接されるコネクタ等の収納部の移動を吸収する吸収部を有して収納部が移動される影響をなくした給電手段によって、移動する収納部に設けられたコンセントに給電し、収納部で電気機器が使えるようにするので便利である。
【図面の簡単な説明】
【図１】本発明の実施形態１に係る昇降収納装置の概略構成を示す断面図。
【図２】図１の昇降収納装置の正面図。
【図３】昇降機構の構成を示す側面図。
【図４】図２の一方の昇降機構の正面図。
【図５】図３、図４の昇降機構の昇降経路規制手段の垂直方向のガイドを示す横断面図。
【図６】図１の昇降装置の摺動支持部の別の実施例を示し、その（ａ）は側面図、その（ｂ）は正面図。
【図７】図１の昇降収納装置の給電手段に適用した移動の吸収部例であるコネクタを分離状態で示す斜視図。
【図８】図１の昇降収納装置における上下入れ換え収納部での第１、第２の各収納部の上下入れ換え操作の手順を（ａ）から（ｇ）まで順を追って示す説明図。
【図９】実施の形態１の上下入れ換え収納部を床上に設置した場合の実施例を示す要部の斜視図。
【図１０】図９の上下入れ換え収納部全体の設置状態を示す断面図。
【図１１】実施の形態１の上下入れ換え収納部を上下に組み合わせた場合の実施例を示す断面図。
【図１２】本発明の実施の形態２に係る昇降収納装置における、上下入れ換え収納部での第１、第２の各収納部の上下入れ換え操作の手順を（ａ）から（ｇ）まで順を追って示す説明図。
【図１３】本発明の実施の形態３に係る昇降収納装置の上部の上下入れ換え収納部を示す断面図。
【図１４】本発明の参考例に係る昇降収納装置における、上下入れ換え収納部での第１、第２の各収納部の上下入れ換え操作の手順を（ａ）から（ｄ）まで順を追って示す説明図。
【図１５】図１４の昇降収納装置の正面図。
【図１６】図１４の昇降収納装置の水平支持部材を示し、その（ａ）は収縮状態の説明図、その（ｂ）は伸長状態の説明図である。
【符号の説明】
６１ 第１の収納部
６２ 第２の収納部
６３ キャビネット
６６ 昇降機構
１１１ コンセント
１１２ 移動の吸収部
１１２ａ、１１２ｂ コネクタ
１１２ｃ カールコード
１１２ｄ コードリール
１１３ 給電手段
１１４ プラグ
１１５ 電気機器
１２１ 開放部
１２２ 扉
１２３ 引き出し棚
１２６ スイッチング手段
１３１ 電源コード
【図１】
0003699577.tif 000002
【図２】
0003699577.tif 000003
【図３】
0003699577.tif 000004
【図４】
0003699577.tif 000005
【図５】
0003699577.tif 000006
【図６】
0003699577.tif 000007
【図７】
0003699577.tif 000008
【図８】
0003699577.tif 000009
【図９】
0003699577.tif 000010
【図１０】
0003699577.tif 000011
【図１１】
0003699577.tif 000012
【図１２】
0003699577.tif 000013
【図１３】
0003699577.tif 000014
【図１４】
0003699577.tif 000015
【図１５】
0003699577.tif 000016
【図１６】
0003699577.tif 000017